【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
光源と、前記光源から出射された発散光の発散角を変えるカップリングレンズと、このカップリングレンズを介した光束を光情報記録媒体の透明基板を介して情報記録面に集光させる対物レンズとを有し、前記記録面からの反射光を検出することで前記光情報記録媒体に対する情報の記録および／または再生を行う光ピックアップ装置であって、
前記光情報記録媒体は、同一の光束入射面側に透明基板と情報記録層とが交互に複数積層された構造を有し、
前記カップリングレンズを光軸方向へ変移させることで、前記光束入射面から各情報記録層までの透明基板の厚さの違いによって生じる球面収差の変動を補正し、
前記対物レンズは、少なくとも１つの面が非球面となされた単玉レンズであって、
前記対物レンズの少なくとも１つの面上に輪帯状の回折構造が形成され、
前記対物レンズは、次式を満たすことを特徴とする光ピックアップ装置。
ＮＡ≧０．７
５．０≦ｆＤ／ｆ≦６５．０
ただし、ＮＡ：光情報記録媒体に記録および／または再生を行うのに必要な所定の像側開口数、
ｆＤ：第ｉ面上に形成された、前記回折構造により透過波面に付加される光路差を、
Φbi＝ｎｉ・（ｂ2i・ｈｉ2＋ｂ4i・ｈｉ4＋ｂ6i・ｈｉ6＋・・・）により定義される光路差関数で表す場合に（ここで、ｎｉは、前記第ｉ面上に形成された回折構造で発生する回折光のうち最大の回折光量を有する回折光の回折次数、ｈｉは光軸からの高さ（ｍｍ）、ｂ2i、ｂ4i、ｂ6i、・・・はそれぞれ２次、４次、６次、・・・の光路差関数係数（回折面係数ともいう）である）、
ｆＤ＝１／Σ（−２・ｎｉ・ｂ2i）により定義される回折構造のみの焦点距離（ｍｍ）
ｆ：屈折パワーと前記回折構造による回折パワーとを合わせた対物レンズ全系の焦点距離（ｍｍ）
【請求項２】
次式を満たすことを特徴とする請求項１に記載の光ピックアップ装置。
５．０≦ｆＤ／ｆ≦４０．０
【請求項３】
次式を満たすことを特徴とする請求項１又は２に記載の光ピックアップ装置。
０．０３≦λ・ｆ・Σ（ｎｉ／（Ｍｉ・Ｐｉ2））≦０．７０
ただし、ｎｉ：前記回折構造において、第ｉ面上に形成された回折構造で発生する回折光のうち最大の回折光量をもつ回折光の次数、
Ｍｉ：第ｉ面上に形成された回折構造の輪帯数、
Ｐｉ：第ｉ面上に形成された回折構造の輪帯間隔の最小値（ｍｍ）、
ｆ：対物レンズ全系の焦点距離（ｍｍ）、
λ：使用波長（ｍｍ）
【請求項４】
光源と、前記光源から出射された発散光の発散角を変えるカップリングレンズと、このカップリングレンズを介した光束を光情報記録媒体の透明基板を介して情報記録面に集光させる対物レンズとを有し、前記記録面からの反射光を検出することで前記光情報記録媒体に対する情報の記録および／または再生を行う光ピックアップ装置であって、
前記光情報記録媒体は、同一の光束入射面側に透明基板と情報記録層とが交互に複数積層された構造を有し、
前記カップリングレンズを光軸方向へ変移させることで、前記光束入射面から各情報記録層までの透明基板の厚さの違いによって生じる球面収差の変動を補正し、
前記対物レンズは、少なくとも１つの面が非球面となされた単玉レンズであって、
前記対物レンズの少なくとも１つの面上に輪帯状の回折構造が形成され、
前記対物レンズは、次式を満たすことを特徴とする光ピックアップ装置。
ＮＡ≧０．７
０．０３≦λ・ｆ・Σ（ｎｉ／（Ｍｉ・Ｐｉ2））≦０．７０
ただし、ＮＡ：光情報記録媒体に記録および／または再生を行うのに必要な所定の像側開口数、
ｎｉ：前記回折構造において、第ｉ面上に形成された回折構造で発生する回折光のうち最大の回折光量をもつ回折光の次数、
Ｍｉ：第ｉ面上に形成された回折構造の輪帯数、
Ｐｉ：第ｉ面上に形成された回折構造の輪帯間隔の最小値（ｍｍ）、
ｆ：対物レンズ全系の焦点距離（ｍｍ）、
λ：使用波長（ｍｍ）
【請求項５】
次式を満たすことを特徴とする請求項４に記載の光ピックアップ装置。
０．１０≦λ・ｆ・Σ（ｎｉ／（Ｍｉ・Ｐｉ2））≦０．６５
【請求項６】
次式を満たすことを特徴とする請求項５に記載の光ピックアップ装置。
０．２０≦λ・ｆ・Σ（ｎｉ／（Ｍｉ・Ｐｉ2））≦０．６０
【請求項７】
前記対物レンズは、光学プラスチック材料から形成されていることを特徴とする請求項１〜６のいずれか１項に記載の光ピックアップ装置。
【請求項８】
前記光学プラスチック材料は、ポリオレフィンであることを特徴とする請求項７に記載の光ピックアップ装置。
【請求項９】
次式を満たすことを特徴とする請求項１〜８のいずれか１項に記載の光ピックアップ装置。
λ≦５００ｎｍ
ただし、λ：光情報記録媒体に記録および／または再生を行うのに使用する波長
【請求項１０】
前記対物レンズが次式を満たすことを特徴とする請求項１〜９のいずれか１項に記載の光ピックアップ装置。
０．３５＜（Ｘ１−Ｘ２）・（Ｎ−１）／（ＮＡ・ｆ）＜０．５５
ただし、
Ｘ１：光軸に垂直で光源側の面の頂点に接する平面と、有効径最周辺（上記ＮＡのマージナル光線が入射する光源側の面上の位置）における光源側の面との光軸方向の差（ｍｍ）で、上記接平面を基準として光情報記録媒体の方向に測る場合を正、光源の方向に測る場合を負とする。
Ｘ２：光軸に垂直で光情報記録媒体側の面の頂点に接する平面と、有効径最周辺（上記ＮＡのマージナル光線が入射する光情報記録媒体側の面上の位置）における光情報記録媒体側の面との光軸方向の差（ｍｍ）で、上記接平面を基準として光情報記録媒体の方向に測る場合を正、光源の方向に測る場合を負とする。
Ｎ：前記対物レンズの使用波長における屈折率
ｆ：前記対物レンズの全系の焦点距離（ｍｍ）
【請求項１１】
前記対物レンズが次式を満たすことを特徴とする請求項１０に記載の光ピックアップ装置。
０．３９＜（Ｘ１−Ｘ２）・（Ｎ−１）／（ＮＡ・ｆ）＜０．５２
【請求項１２】
前記対物レンズの色収差が次式を満たすことを特徴とする請求項１〜１１のいずれか１項に記載の光ピックアップ装置。
│△ｆＢ・ＮＡ2│≦０．２５μｍ
ただし、△ｆＢ：前記光源の波長が＋１ｎｍ変化したときの、前記対物レンズの焦点位置の変化（μｍ）
【請求項１３】
前記対物レンズが次式を満たすことを特徴とする請求項１〜１２のいずれか１項に記載の光ピックアップ装置。
−２００≦ｂ4i・ｈｉmax4／（λ・ｆ・ＮＡ4）≦−５
ただし、
ｂ4i：第ｉ面上に形成された、前記回折構造により透過波面に付加される光路差を、
Φbi＝ｎｉ・（ｂ2i・ｈｉ2＋ｂ4i・ｈｉ4＋ｂ6i・ｈｉ6＋・・・）により定義される光路差関数で表す場合に（ここで、ｎｉは、前記第ｉ面上に形成された回折構造で発生する回折光のうち最大の回折光量を有する回折光の回折次数、ｈｉは光軸からの高さ（ｍｍ）、ｂ2i、ｂ4i、ｂ6i、・・・はそれぞれ２次、４次、６次、・・・・・・の光路差関数係数（回折面係数ともいう）である）、の４次の光路差関数係数
ｈｉmax：第ｉ面の有効径の最大高さ（ｍｍ）
【請求項１４】
前記対物レンズが次式を満たすことを特徴とする請求項１〜１３のいずれか１項に記載の光ピックアップ装置。
０．４≦│（Ｐｈ／Ｐｆ）−２│≦２５．０
ただし、Ｐｆ：光情報記録媒体に記録および／または再生を行うのに必要な所定の像側開口数における回折輪帯問隔（ｍｍ）
Ｐｈ：光情報記録媒体に記録および／または再生を行うのに必要な所定の像側開口数の１／２の開口数における回折輪帯間隔（ｍｍ）
【請求項１５】
前記光源の波長が＋１０ｎｍ変化したときのマージナル光線の球面収差の変化量を△ＳＡ（μｍ）としたとき、次式を満たすことを特徴とする請求項１〜１４のいずれか１項に記載の光ピックアップ装置。
│△ＳＡ│≦１．５
【請求項１６】
回折レンズとしての回折作用と屈折レンズとしての屈折作用とをあわせた場合、前記光源の波長が長波長側にシフトした際に、バックフォーカスが短くなる方向に変化するような軸上色収差特性を有し、次式を満たすことを特徴とする請求項１〜１５のいずれか１項に記載の光ピックアップ装置。
−１＜ΔＣＡ／ΔＳＡ＜０
ただし，
ΔＣＡ：波長の変化に対する軸上色収差の変化量（ｍｍ）
ΔＳＡ：波長の変化に対するマージナル光線の球面収差の変化量（ｍｍ）
【請求項１７】
次式を満たすことを特徴とする請求項１〜１６のいずれか１項に記載の光ピックアップ装置。
ｔ≦０．６ｍｍ
ただし、
ｔ：光情報記録媒体の情報記録面を保護する透明基板の厚さ
【請求項１８】
前記回折構造で発生するｎ次回折光量が他のいずれの次数の回折光量よりも大きく、前記対物レンズは、前記光情報記録媒体に対する情報の記録および／または再生するために回折構造で発生したｎ次回折光を光情報記録媒体の情報記録面に集光することができることを特徴とする請求項１〜１７のいずれか１項に記載の光ピックアップ装置。ここで、ｎは０、±１以外の整数である。
【請求項１９】
前記回折構造のうち、少なくとも１つの面上に形成された回折構造は、ｎを０、±１以外の整数としたとき、該回折構造で発生する回折光のうち、ｎ次回折光の回折光量が他のいずれの次数の回折光の回折光量よりも大きくなるように各回折輪帯の光軸方向の段差量が決定されていることを特徴とする請求項１〜１８のいずれか１項に記載の光ピックアップ装置。
【請求項２０】
前記対物レンズは飽和吸水率が０．５％以下である材料から形成されていることを特徴とする請求項１〜１９のいずれか１項に記載の光ピックアップ装置。
【請求項２１】
前記対物レンズは使用波長領域で厚さが３ｍｍにおける内部透過率が８５％以上である材料から形成されていることを特徴とする請求項１〜２０のいずれか１項に記載の光ピックアップ装置。
【請求項２２】
前記対物レンズの球面収差のうち、３次の球面収差成分をＳＡ１、５次、７次及び９次の球面収差成分の和をＳＡ２としたとき，次式を満たすことを特徴とする請求項１〜２１のいずれか１項に記載の光ピックアップ装置。
｜ＳＡ１／ＳＡ２｜＞１．０
ただし、
ＳＡ１：収差関数をツェルニケ（Zernike）の多項式に展開したときの３次の球面収差成分
ＳＡ２：収差関数をツェルニケ（Zernike）の多項式に展開したときの５次の球面収差成分と７次の球面収差成分と９次の球面収差成分との２乗和の平方根
【請求項２３】
波長が長波長側に変動した際に、バックフォーカスが短くなる方向に変化する波長特性を有することを特徴とする請求項1〜２２のいずれか１項に記載の光ピックアップ装置。
【請求項２４】
軸上色収差を補正することを特徴とする請求項１〜２３のいずれか１項に記載の光ピックアップ装置。
【請求項２５】
前記カップリングレンズは相対的にアッベ数の大きい正レンズと、相対的にアッベ数の小さい負レンズとを接合した１群２枚構成であることを特徴とする請求項１〜２４のいずれか１項に記載の光ピックアップ装置。
【請求項２６】
前記カップリングレンズは少なくとも１面に輪帯状の回折構造を有する単玉レンズであることを特徴とする請求項１〜２５のいずれか１項に記載の光ピックアップ装置。
【請求項２７】
前記カップリングレンズは、光軸方向に沿って変移することで、前記光源の発振波長の微小な変動に起因して生じる球面収差の変動を補正することを特徴とする請求項１〜２６のいずれか１項に記載の光ピックアップ装置。
【請求項２８】
前記対物レンズは、プラスチック材料からなり、
前記カップリングレンズは、光軸方向に沿って変移することで、温度変化に起因して生じる球面収差の変動を補正することを特徴とする請求項１〜２７のいずれか１項に記載の光ピックアップ装置。
【請求項２９】
前記カップリングレンズは、光軸方向に沿って変移することで、前記光情報記録媒体の透明基板の厚さの微小な変動に起因して生じる球面収差の変動を補正することを特徴とする請求項１〜２８のいずれか１項に記載の光ピックアップ装置。
【請求項３０】
球面収差がオーバー側に変動する時は、前記カップリングレンズは、球面収差が変動する前に比して、前記対物レンズとの間隔を増加させるように光軸方向に沿って変移し、球面収差がアンダー側に変動する時は、前記カップリングレンズは、球面収差が変動する前に比して、前記対物レンズとの間隔を現象させるように光軸方向に沿って変移することで球面収差の変動を補正することを特徴とする請求項１〜２９のいずれか１項に記載の光ピックアップ装置。
【請求項３１】
請求項１〜３０のいずれか１項に記載の光ピックアップ装置を有することを特徴とする音声および／または画像の記録装置、および／または、音声および／または画像の再生装置。
【手続補正２】
【補正対象書類名】明細書
【補正対象項目名】発明の名称
【補正方法】変更
【補正の内容】
【発明の名称】光ピックアップ装置及び記録・再生装置
【手続補正３】
【補正対象書類名】明細書
【補正対象項目名】０００１
【補正方法】変更
【補正の内容】
【０００１】
本発明は、光ピックアップ装置及び記録・再生装置に関するものである。
【手続補正４】
【補正対象書類名】明細書
【補正対象項目名】０００８
【補正方法】変更
【補正の内容】
【０００８】
本発明は、高開口数及び短波長に対応可能で、軸上色収差が良好に補正された光ピックアップ装置を提供することを目的とする。
【手続補正５】
【補正対象書類名】明細書
【補正対象項目名】０００９
【補正方法】変更
【補正の内容】
【０００９】
本発明は、レーザ光源の発振波長変化、温度・湿度変化、光情報記録媒体の透明基板の厚みの誤差等に起因して光ピックアップ装置の各光学面で発生する球面収差の変動を簡易な構成で効果的に補正できる光ピックアップ装置を提供することを目的とする。
【手続補正６】
【補正対象書類名】明細書
【補正対象項目名】００１０
【補正方法】変更
【補正の内容】
【００１０】
また、レーザ光源のモードホップ現象や高周波重畳に起因して対物レンズで発生する軸上色収差を効果的に補正できる光ピックアップ装置を提供することを目的とする。
【手続補正７】
【補正対象書類名】明細書
【補正対象項目名】００１１
【補正方法】変更
【補正の内容】
【００１１】
また、透明基板の厚さの異なる複数の光情報記録媒体に対して情報の記録または再生用の光ピックアップ装置を提供することを目的とする。
【手続補正８】
【補正対象書類名】明細書
【補正対象項目名】００１２
【補正方法】変更
【補正の内容】
【００１２】
更に、短波長レーザ光源と高開口数の対物レンズを備え、透明基板の厚さの異なる複数の光情報記録媒体に対して情報の記録または再生を行える光ピックアップ装置を提供することを目的とする。
【手続補正９】
【補正対象書類名】明細書
【補正対象項目名】００８１
【補正方法】変更
【補正の内容】
【００８１】
上記目的を達成するために、請求項１に記載の光ピックアップ装置は、光源と、前記光源から出射された発散光の発散角を変えるカップリングレンズと、このカップリングレンズを介した光束を光情報記録媒体の透明基板を介して情報記録面に集光させる対物レンズとを有し、前記記録面からの反射光を検出することで前記光情報記録媒体に対する情報の記録および／または再生を行う光ピックアップ装置であって、前記光情報記録媒体は、同一の光束入射面側に透明基板と情報記録層とが交互に複数積層された構造を有し、前記カップリングレンズを光軸方向へ変移させることで、前記光束入射面から各情報記録層までの透明基板の厚さの違いによって生じる球面収差の変動を補正し、前記対物レンズは、少なくとも１つの面が非球面となされた単玉レンズであって、前記対物レンズの少なくとも１つの面上に輪帯状の回折構造が形成され、前記対物レンズは、次式を満たすことを特徴とする。
ＮＡ≧０．７                    （１）
５．０≦ｆＤ／ｆ≦６５．０      （２）
ただし、ＮＡ：光情報記録媒体に記録および／または再生を行うのに必要な所定の像側開口数、
ｆＤ：第ｉ面上に形成された、前記回折構造により透過波面に付加される光路差を、
Φbi＝ｎｉ・（ｂ2i・ｈｉ2＋ｂ4i・ｈｉ4＋ｂ6i・ｈｉ6＋・・・）により定義される光路差関数で表す場合に（ここで、ｎｉは、前記第ｉ面上に形成された回折構造で発生する回折光のうち最大の回折光量を有する回折光の回折次数、ｈｉは光軸からの高さ（ｍｍ）、ｂ2i、ｂ4i、ｂ6i、・・・はそれぞれ２次、４次、６次、・・・の光路差関数係数（回折面係数ともいう）である）、
ｆＤ＝１／Σ（−２・ｎｉ・ｂ2i）により定義される回折構造のみの焦点距離（ｍｍ）
ｆ：屈折パワーと前記回折構造による回折パワーとを合わせた対物レンズ全系の焦点距離（ｍｍ）
【手続補正１０】
【補正対象書類名】明細書
【補正対象項目名】００８２
【補正方法】変更
【補正の内容】
【００８２】
請求項２に記載の光ピックアップ装置は請求項１において次式を満たすことを特徴とする。
５．０≦ｆＤ／ｆ≦４０．０      （７）
【手続補正１１】
【補正対象書類名】明細書
【補正対象項目名】００８３
【補正方法】変更
【補正の内容】
【００８３】
請求項３に記載の光ピックアップ装置は請求項１又は２において次式を満たすことを特徴とする。
０．０３≦λ・ｆ・Σ（ｎｉ／（Ｍｉ・Ｐｉ2））≦０．７０      （３）
ただし、ｎｉ：前記回折構造において、第ｉ面上に形成された回折構造で発生する回折光のうち最大の回折光量をもつ回折光の次数、
Ｍｉ：第ｉ面上に形成された回折構造の輪帯数、
Ｐｉ：第ｉ面上に形成された回折構造の輪帯間隔の最小値（ｍｍ）、
ｆ：対物レンズ全系の焦点距離（ｍｍ）、
λ：使用波長（ｍｍ）
【手続補正１２】
【補正対象書類名】明細書
【補正対象項目名】００８４
【補正方法】変更
【補正の内容】
【００８４】
請求項４に記載の光ピックアップ装置は、光源と、前記光源から出射された発散光の発散角を変えるカップリングレンズと、このカップリングレンズを介した光束を光情報記録媒体の透明基板を介して情報記録面に集光させる対物レンズとを有し、前記記録面からの反射光を検出することで前記光情報記録媒体に対する情報の記録および／または再生を行う光ピックアップ装置であって、前記光情報記録媒体は、同一の光束入射面側に透明基板と情報記録層とが交互に複数積層された構造を有し、前記カップリングレンズを光軸方向へ変移させることで、前記光束入射面から各情報記録層までの透明基板の厚さの違いによって生じる球面収差の変動を補正し、前記対物レンズは、少なくとも１つの面が非球面となされた単玉レンズであって、前記対物レンズの少なくとも１つの面上に輪帯状の回折構造が形成され、前記対物レンズは、次式を満たすことを特徴とする。
ＮＡ≧０．７      （１）
０．０３≦λ・ｆ・Σ（ｎｉ／（Ｍｉ・Ｐｉ2））≦０．７０      （３）
ただし、ＮＡ：光情報記録媒体に記録および／または再生を行うのに必要な所定の像側開口数、
ｎｉ：前記回折構造において、第ｉ面上に形成された回折構造で発生する回折光のうち最大の回折光量をもつ回折光の次数、
Ｍｉ：第ｉ面上に形成された回折構造の輪帯数、
Ｐｉ：第ｉ面上に形成された回折構造の輪帯間隔の最小値（ｍｍ）、
ｆ：対物レンズ全系の焦点距離（ｍｍ）、
λ：使用波長（ｍｍ）
【手続補正１３】
【補正対象書類名】明細書
【補正対象項目名】００８５
【補正方法】変更
【補正の内容】
【００８５】
請求項５に記載の光ピックアップ装置は請求項４において次式を満たすことを特徴とする。
０．１０≦λ・ｆ・Σ（ｎｉ／（Ｍｉ・Ｐｉ2））≦０．６５      （１０）
【手続補正１４】
【補正対象書類名】明細書
【補正対象項目名】００８６
【補正方法】変更
【補正の内容】
【００８６】
請求項６に記載の光ピックアップ装置は請求項５において次式を満たすことを特徴とする。
０．２０≦λ・ｆ・Σ（ｎｉ／（Ｍｉ・Ｐｉ2））≦０．６０      （１１）
【手続補正１５】
【補正対象書類名】明細書
【補正対象項目名】００８７
【補正方法】変更
【補正の内容】
【００８７】
請求項７に記載の光ピックアップ装置は請求項１〜６のいずれか１項において前記対物レンズは、光学プラスチック材料から形成されていることを特徴とする。
【手続補正１６】
【補正対象書類名】明細書
【補正対象項目名】００８８
【補正方法】変更
【補正の内容】
【００８８】
請求項８に記載の光ピックアップ装置は請求項７において前記光学プラスチック材料は、ポリオレフィンであることを特徴とする。
【手続補正１７】
【補正対象書類名】明細書
【補正対象項目名】００８９
【補正方法】変更
【補正の内容】
【００８９】
請求項９に記載の光ピックアップ装置は請求項１〜８のいずれか１項において次式を満たすことを特徴とする。
λ≦５００ｎｍ      （４）
ただし、λ：光情報記録媒体に記録および／または再生を行うのに使用する波長
【手続補正１８】
【補正対象書類名】明細書
【補正対象項目名】００９０
【補正方法】変更
【補正の内容】
【００９０】
請求項１０に記載の光ピックアップ装置は請求項１〜９のいずれか１項において前記対物レンズが次式を満たすことを特徴とする。
０．３５＜（Ｘ１−Ｘ２）・（Ｎ−１）／（ＮＡ・ｆ）＜０．５５
ただし、
Ｘ１：光軸に垂直で光源側の面の頂点に接する平面と、有効径最周辺（上記ＮＡのマージナル光線が入射する光源側の面上の位置）における光源側の面との光軸方向の差（ｍｍ）で、上記接平面を基準として光情報記録媒体の方向に測る場合を正、光源の方向に測る場合を負とする。
Ｘ２：光軸に垂直で光情報記録媒体側の面の頂点に接する平面と、有効径最周辺（上記ＮＡのマージナル光線が入射する光情報記録媒体側の面上の位置）における光情報記録媒体側の面との光軸方向の差（ｍｍ）で、上記接平面を基準として光情報記録媒体の方向に測る場合を正、光源の方向に測る場合を負とする。
Ｎ：前記対物レンズの使用波長における屈折率
ｆ：前記対物レンズの全系の焦点距離（ｍｍ）
【手続補正１９】
【補正対象書類名】明細書
【補正対象項目名】００９１
【補正方法】変更
【補正の内容】
【００９１】
請求項１１に記載の光ピックアップ装置は請求項１０において次式を満たすことを特徴とする。
０．３９＜（Ｘ１−Ｘ２）・（Ｎ−１）／（ＮＡ・ｆ）＜０．５２
【手続補正２０】
【補正対象書類名】明細書
【補正対象項目名】００９２
【補正方法】変更
【補正の内容】
【００９２】
請求項１２に記載の光ピックアップ装置は請求項１〜１１のいずれか１項において前記対物レンズの色収差が次式を満たすことを特徴とする。
│△ｆＢ・ＮＡ2│≦０．２５μｍ      （１２）
ただし、△ｆＢ：前記光源の波長が＋１ｎｍ変化したときの、前記対物レンズの焦点位置の変化（μｍ）
【手続補正２１】
【補正対象書類名】明細書
【補正対象項目名】００９３
【補正方法】変更
【補正の内容】
【００９３】
請求項１３に記載の光ピックアップ装置は請求項１〜１２のいずれか１項において前記対物レンズが次式を満たすことを特徴とする。
−２００≦ｂ4i・ｈｉmax4／（λ・ｆ・ＮＡ4）≦−５      （１３）
ただし、
ｂ4i：第ｉ面上に形成された、前記回折構造により透過波面に付加される光路差を、
Φbi＝ｎｉ・（ｂ2i・ｈｉ2＋ｂ4i・ｈｉ4＋ｂ6i・ｈｉ6＋・・・）により定義される光路差関数で表す場合に（ここで、ｎｉは、前記第ｉ面上に形成された回折構造で発生する回折光のうち最大の回折光量を有する回折光の回折次数、ｈｉは光軸からの高さ（ｍｍ）、ｂ2i、ｂ4i、ｂ6i、・・・はそれぞれ２次、４次、６次、・・・・・・の光路差関数係数（回折面係数ともいう）である）、の４次の光路差関数係数
ｈｉmax：第ｉ面の有効径の最大高さ（ｍｍ）
【手続補正２２】
【補正対象書類名】明細書
【補正対象項目名】００９４
【補正方法】変更
【補正の内容】
【００９４】
請求項１４に記載の光ピックアップ装置は請求項１〜１３のいずれか１項において前記対物レンズが次式を満たすことを特徴とする。
０．４≦│（Ｐｈ／Ｐｆ）−２│≦２５．０      （１４）
ただし、Ｐｆ：光情報記録媒体に記録および／または再生を行うのに必要な所定の像側開口数における回折輪帯問隔（ｍｍ）
Ｐｈ：光情報記録媒体に記録および／または再生を行うのに必要な所定の像側開口数の１／２の開口数における回折輪帯間隔（ｍｍ）
【手続補正２３】
【補正対象書類名】明細書
【補正対象項目名】００９５
【補正方法】変更
【補正の内容】
【００９５】
請求項１５に記載の光ピックアップ装置は請求項１〜１４のいずれか１項において前記光源の波長が＋１０ｎｍ変化したときのマージナル光線の球面収差の変化量を△ＳＡ（μｍ）としたとき、次式を満たすことを特徴とする。
│△ＳＡ│≦１．５      （１５）
【手続補正２４】
【補正対象書類名】明細書
【補正対象項目名】００９６
【補正方法】変更
【補正の内容】
【００９６】
請求項１６に記載の光ピックアップ装置は請求項１〜１５のいずれか１項において回折レンズとしての回折作用と屈折レンズとしての屈折作用とをあわせた場合、前記光源の波長が長波長側にシフトした際に、バックフォーカスが短くなる方向に変化するような軸上色収差特性を有し、次式を満たすことを特徴とする。
−１＜ΔＣＡ／ΔＳＡ＜０
ただし，
ΔＣＡ：波長の変化に対する軸上色収差の変化量（ｍｍ）
ΔＳＡ：波長の変化に対するマージナル光線の球面収差の変化量（ｍｍ）
【手続補正２５】
【補正対象書類名】明細書
【補正対象項目名】００９７
【補正方法】変更
【補正の内容】
【００９７】
請求項１７に記載の光ピックアップ装置は請求項１〜１６のいずれか１項において次式を満たすことを特徴とする。
ｔ≦０．６ｍｍ      （１６）
ただし、
ｔ：光情報記録媒体の情報記録面を保護する透明基板の厚さ
【手続補正２６】
【補正対象書類名】明細書
【補正対象項目名】００９８
【補正方法】変更
【補正の内容】
【００９８】
請求項１８に記載の光ピックアップ装置は請求項１〜１７のいずれか１項において前記回折構造で発生するｎ次回折光量が他のいずれの次数の回折光量よりも大きく、前記対物レンズは、前記光情報記録媒体に対する情報の記録および／または再生するために回折構造で発生したｎ次回折光を光情報記録媒体の情報記録面に集光することができることを特徴とする。ここで、ｎは０、±１以外の整数である。
【手続補正２７】
【補正対象書類名】明細書
【補正対象項目名】００９９
【補正方法】変更
【補正の内容】
【００９９】
請求項１９に記載の光ピックアップ装置は請求項１〜１８のいずれか１項において前記回折構造のうち、少なくとも１つの面上に形成された回折構造は、ｎを０、±１以外の整数としたとき、該回折構造で発生する回折光のうち、ｎ次回折光の回折光量が他のいずれの次数の回折光の回折光量よりも大きくなるように各回折輪帯の光軸方向の段差量が決定されていることを特徴とする。
【手続補正２８】
【補正対象書類名】明細書
【補正対象項目名】０１００
【補正方法】変更
【補正の内容】
【０１００】
請求項２０に記載の光ピックアップ装置は請求項１〜１９のいずれか１項において前記対物レンズは飽和吸水率が０．５％以下である材料から形成されていることを特徴とする。
【手続補正２９】
【補正対象書類名】明細書
【補正対象項目名】０１０１
【補正方法】変更
【補正の内容】
【０１０１】
請求項２１に記載の光ピックアップ装置は請求項１〜２０のいずれか１項において前記対物レンズは使用波長領域で厚さが３ｍｍにおける内部透過率が８５％以上である材料から形成されていることを特徴とする。
【手続補正３０】
【補正対象書類名】明細書
【補正対象項目名】０１０２
【補正方法】変更
【補正の内容】
【０１０２】
請求項２２に記載の光ピックアップ装置は請求項１〜２１のいずれか１項において前記対物レンズの球面収差のうち、３次の球面収差成分をＳＡ１、５次、７次及び９次の球面収差成分の和をＳＡ２としたとき，次式を満たすことを特徴とする。
｜ＳＡ１／ＳＡ２｜＞１．０      （１８）
ただし、
ＳＡ１：収差関数をツェルニケ（Zernike）の多項式に展開したときの３次の球面収差成分
ＳＡ２：収差関数をツェルニケ（Zernike）の多項式に展開したときの５次の球面収差成分と７次の球面収差成分と９次の球面収差成分との２乗和の平方根
【手続補正３１】
【補正対象書類名】明細書
【補正対象項目名】０１０３
【補正方法】変更
【補正の内容】
【０１０３】
請求項２３に記載の光ピックアップ装置は請求項1〜２２のいずれか１項において波長が長波長側に変動した際に、バックフォーカスが短くなる方向に変化する波長特性を有することを特徴とする。
【手続補正３２】
【補正対象書類名】明細書
【補正対象項目名】０１０４
【補正方法】変更
【補正の内容】
【０１０４】
請求項２４に記載の光ピックアップ装置は請求項１〜２３のいずれか１項において軸上色収差を補正することを特徴とする。
【手続補正３３】
【補正対象書類名】明細書
【補正対象項目名】０１０５
【補正方法】変更
【補正の内容】
【０１０５】
請求項２５に記載の光ピックアップ装置は請求項１〜２４のいずれか１項において前記カップリングレンズは相対的にアッベ数の大きい正レンズと、相対的にアッベ数の小さい負レンズとを接合した１群２枚構成であることを特徴とする。
【手続補正３４】
【補正対象書類名】明細書
【補正対象項目名】０１０６
【補正方法】変更
【補正の内容】
【０１０６】
請求項２６に記載の光ピックアップ装置は請求項１〜２５のいずれか１項において前記カップリングレンズは少なくとも１面に輪帯状の回折構造を有する単玉レンズであることを特徴とする。
【手続補正３５】
【補正対象書類名】明細書
【補正対象項目名】０１０７
【補正方法】変更
【補正の内容】
【０１０７】
請求項２７に記載の光ピックアップ装置は請求項１〜２６のいずれか１項において前記カップリングレンズは、光軸方向に沿って変移することで、前記光源の発振波長の微小な変動に起因して生じる球面収差の変動を補正することを特徴とする。
【手続補正３６】
【補正対象書類名】明細書
【補正対象項目名】０１０８
【補正方法】変更
【補正の内容】
【０１０８】
請求項２８に記載の光ピックアップ装置は請求項１〜２７のいずれか１項において前記対物レンズは、プラスチック材料からなり、前記カップリングレンズは、光軸方向に沿って変移することで、温度変化に起因して生じる球面収差の変動を補正することを特徴とする。
【手続補正３７】
【補正対象書類名】明細書
【補正対象項目名】０１０９
【補正方法】変更
【補正の内容】
【０１０９】
請求項２９に記載の光ピックアップ装置は請求項１〜２８のいずれか１項において前記カップリングレンズは、光軸方向に沿って変移することで、前記光情報記録媒体の透明基板の厚さの微小な変動に起因して生じる球面収差の変動を補正することを特徴とする。
【手続補正３８】
【補正対象書類名】明細書
【補正対象項目名】０１１０
【補正方法】変更
【補正の内容】
【０１１０】
請求項３０に記載の光ピックアップ装置は請求項１〜２９のいずれか１項において球面収差がオーバー側に変動する時は、前記カップリングレンズは、球面収差が変動する前に比して、前記対物レンズとの間隔を増加させるように光軸方向に沿って変移し、球面収差がアンダー側に変動する時は、前記カップリングレンズは、球面収差が変動する前に比して、前記対物レンズとの間隔を現象させるように光軸方向に沿って変移することで球面収差の変動を補正することを特徴とする。
【手続補正３９】
【補正対象書類名】明細書
【補正対象項目名】０１１１
【補正方法】変更
【補正の内容】
【０１１１】
請求項３１に記載の、音声および／または画像の記録装置、および／または、音声および／または画像の再生装置は、請求項１〜３０のいずれか１項に記載の光ピックアップ装置を有することを特徴とする。
【手続補正４０】
【補正対象書類名】明細書
【補正対象項目名】０１１２
【補正方法】削除
【補正の内容】
【手続補正４１】
【補正対象書類名】明細書
【補正対象項目名】０１１３
【補正方法】削除
【補正の内容】
【手続補正４２】
【補正対象書類名】明細書
【補正対象項目名】０１１４
【補正方法】削除
【補正の内容】
【手続補正４３】
【補正対象書類名】明細書
【補正対象項目名】０１１５
【補正方法】削除
【補正の内容】
【手続補正４４】
【補正対象書類名】明細書
【補正対象項目名】０１１６
【補正方法】削除
【補正の内容】
【手続補正４５】
【補正対象書類名】明細書
【補正対象項目名】０１１７
【補正方法】削除
【補正の内容】
【手続補正４６】
【補正対象書類名】明細書
【補正対象項目名】０１１８
【補正方法】削除
【補正の内容】
【手続補正４７】
【補正対象書類名】明細書
【補正対象項目名】０１１９
【補正方法】削除
【補正の内容】
【手続補正４８】
【補正対象書類名】明細書
【補正対象項目名】０１２０
【補正方法】削除
【補正の内容】
【手続補正４９】
【補正対象書類名】明細書
【補正対象項目名】０１２１
【補正方法】削除
【補正の内容】
【手続補正５０】
【補正対象書類名】明細書
【補正対象項目名】０１２２
【補正方法】削除
【補正の内容】
【手続補正５１】
【補正対象書類名】明細書
【補正対象項目名】０１２３
【補正方法】削除
【補正の内容】
【手続補正５２】
【補正対象書類名】明細書
【補正対象項目名】０１２４
【補正方法】削除
【補正の内容】
【手続補正５３】
【補正対象書類名】明細書
【補正対象項目名】０１２５
【補正方法】削除
【補正の内容】
【手続補正５４】
【補正対象書類名】明細書
【補正対象項目名】０１２６
【補正方法】削除
【補正の内容】
【手続補正５５】
【補正対象書類名】明細書
【補正対象項目名】０１２７
【補正方法】削除
【補正の内容】
【手続補正５６】
【補正対象書類名】明細書
【補正対象項目名】０１２８
【補正方法】削除
【補正の内容】
【手続補正５７】
【補正対象書類名】明細書
【補正対象項目名】０１２９
【補正方法】削除
【補正の内容】
【手続補正５８】
【補正対象書類名】明細書
【補正対象項目名】０１３０
【補正方法】削除
【補正の内容】
【手続補正５９】
【補正対象書類名】明細書
【補正対象項目名】０１３１
【補正方法】削除
【補正の内容】
【手続補正６０】
【補正対象書類名】明細書
【補正対象項目名】０１３２
【補正方法】削除
【補正の内容】
【手続補正６１】
【補正対象書類名】明細書
【補正対象項目名】０１３３
【補正方法】削除
【補正の内容】
【手続補正６２】
【補正対象書類名】明細書
【補正対象項目名】０１３４
【補正方法】削除
【補正の内容】
【手続補正６３】
【補正対象書類名】明細書
【補正対象項目名】０１３５
【補正方法】削除
【補正の内容】
【手続補正６４】
【補正対象書類名】明細書
【補正対象項目名】０１３６
【補正方法】削除
【補正の内容】
【手続補正６５】
【補正対象書類名】明細書
【補正対象項目名】０１３７
【補正方法】削除
【補正の内容】
【手続補正６６】
【補正対象書類名】明細書
【補正対象項目名】０１３８
【補正方法】削除
【補正の内容】
【手続補正６７】
【補正対象書類名】明細書
【補正対象項目名】０１３９
【補正方法】削除
【補正の内容】
【手続補正６８】
【補正対象書類名】明細書
【補正対象項目名】０１４０
【補正方法】削除
【補正の内容】
【手続補正６９】
【補正対象書類名】明細書
【補正対象項目名】０１４１
【補正方法】削除
【補正の内容】
【手続補正７０】
【補正対象書類名】明細書
【補正対象項目名】０１４２
【補正方法】削除
【補正の内容】
【手続補正７１】
【補正対象書類名】明細書
【補正対象項目名】０１４３
【補正方法】削除
【補正の内容】
【手続補正７２】
【補正対象書類名】明細書
【補正対象項目名】０１４４
【補正方法】削除
【補正の内容】
【手続補正７３】
【補正対象書類名】明細書
【補正対象項目名】０１４５
【補正方法】削除
【補正の内容】
【手続補正７４】
【補正対象書類名】明細書
【補正対象項目名】０１４６
【補正方法】削除
【補正の内容】
【手続補正７５】
【補正対象書類名】明細書
【補正対象項目名】０１４７
【補正方法】削除
【補正の内容】
【手続補正７６】
【補正対象書類名】明細書
【補正対象項目名】０１４８
【補正方法】削除
【補正の内容】
【手続補正７７】
【補正対象書類名】明細書
【補正対象項目名】０１４９
【補正方法】削除
【補正の内容】
【手続補正７８】
【補正対象書類名】明細書
【補正対象項目名】０１５０
【補正方法】削除
【補正の内容】
【手続補正７９】
【補正対象書類名】明細書
【補正対象項目名】０１５１
【補正方法】削除
【補正の内容】
【手続補正８０】
【補正対象書類名】明細書
【補正対象項目名】０１５２
【補正方法】削除
【補正の内容】
【手続補正８１】
【補正対象書類名】明細書
【補正対象項目名】０１５３
【補正方法】削除
【補正の内容】
【手続補正８２】
【補正対象書類名】明細書
【補正対象項目名】０１５４
【補正方法】削除
【補正の内容】
【手続補正８３】
【補正対象書類名】明細書
【補正対象項目名】０１５５
【補正方法】削除
【補正の内容】
【手続補正８４】
【補正対象書類名】明細書
【補正対象項目名】０１５６
【補正方法】削除
【補正の内容】
【手続補正８５】
【補正対象書類名】明細書
【補正対象項目名】０１５７
【補正方法】削除
【補正の内容】
【手続補正８６】
【補正対象書類名】明細書
【補正対象項目名】０１５８
【補正方法】削除
【補正の内容】
【手続補正８７】
【補正対象書類名】明細書
【補正対象項目名】０１５９
【補正方法】削除
【補正の内容】
【手続補正８８】
【補正対象書類名】明細書
【補正対象項目名】０１６０
【補正方法】削除
【補正の内容】
【手続補正８９】
【補正対象書類名】明細書
【補正対象項目名】０１６１
【補正方法】削除
【補正の内容】
【手続補正９０】
【補正対象書類名】明細書
【補正対象項目名】０１６２
【補正方法】削除
【補正の内容】
【手続補正９１】
【補正対象書類名】明細書
【補正対象項目名】０１６３
【補正方法】削除
【補正の内容】
【手続補正９２】
【補正対象書類名】明細書
【補正対象項目名】０１６４
【補正方法】削除
【補正の内容】
【手続補正９３】
【補正対象書類名】明細書
【補正対象項目名】０１６５
【補正方法】削除
【補正の内容】
【手続補正９４】
【補正対象書類名】明細書
【補正対象項目名】０１６６
【補正方法】削除
【補正の内容】
【手続補正９５】
【補正対象書類名】明細書
【補正対象項目名】０１６７
【補正方法】削除
【補正の内容】
【手続補正９６】
【補正対象書類名】明細書
【補正対象項目名】０１６８
【補正方法】削除
【補正の内容】
【手続補正９７】
【補正対象書類名】明細書
【補正対象項目名】０１７３
【補正方法】変更
【補正の内容】
【０１７３】
請求項１〜３１によれば、レーザ光源の発振波長変化、温度・湿度変化、光情報記録媒体の透明基板の厚みの誤差等に起因して光ピックアップ装置の各光学面で発生する球面収差の変動を簡易な構成で効果的に補正できる光ピックアップ装置及び記録装置・再生装置を提供できる。また、レーザ光源のモードホップ現象や高周波重畳に起因して対物レンズで発生する軸上色収差を効果的に補正できる。
【手続補正９８】
【補正対象書類名】明細書
【補正対象項目名】０１７４
【補正方法】削除
【補正の内容】
【手続補正９９】
【補正対象書類名】明細書
【補正対象項目名】０１７５
【補正方法】変更
【補正の内容】
【０１７５】
請求項１〜３１によれば、短波長レーザ光源と高開口数の対物レンズを備え、透明基板の厚さの異なる複数の光情報記録媒体に対して情報の記録または再生を行える光ピックアップ装置及び記録装置・再生装置を提供できる。
【手続補正１００】
【補正対象書類名】明細書
【補正対象項目名】０１７６
【補正方法】変更
【補正の内容】
【０１７６】
請求項１は、より高密度な次世代の光情報記録媒体の記録および／または再生用の光ピックアップ装置の好ましい構成に関する。従来の技術で述べたように対物レンズの高開口数化および光源の短波長化が図られてくると、光情報記録媒体の透明基板厚さの微少な変化に起因する球面収差の変化量は無視できないほど大きくなるので、適切な情報の記録および／または再生ができなくなってしまうが、この問題は前記カップリングレンズを光軸に沿って可動とすることで解決される。すなわち、集光光学系の球面収差がオーバー或いはアンダー側に変動した場合、カップリングレンズを光軸方向に適切な量だけ変移させることで、対物レンズに入射する光束の発散角を変える。これにより対物レンズを透過する波面に対し、集光光学系全休で発生する球面収差と逆の極性の球面収差を発生させることが出来る。その結果、焦点を結んだときの波面は球面収差がキャンセルされた状態になり、集光光学系全休として、良好に球面収差を補正することが出来る。さらに、対物レンズの高開口数化および光源の短波長化が図られてくると、対物レンズで発生する軸上色収差の補正が重要となる。
【手続補正１０１】
【補正対象書類名】明細書
【補正対象項目名】０１７７
【補正方法】変更
【補正の内容】
【０１７７】
請求項１の条件式（２）を満たすような焦点距離を有する輪帯状の回折構造を対物レンズに設けることで、軸上色収差を補正できる。屈折レンズとしての屈折パワーと、回折レンズとしての回折パワーを上式を満たすように適切に選ぶことで、５００ｎｍ以下の短波長を発振波長にもつ光源を用いた場合に問題となる、対物レンズで発生する軸上色収差を補正することが可能である。ｆＤ／ｆの値が上式の下限以上で対物レンズの軸上色収差が補正過剰になりすぎず、上限以下で対物レンズの軸上色収差が補正不足になり過ぎない。
【手続補正１０２】
【補正対象書類名】明細書
【補正対象項目名】０１７８
【補正方法】変更
【補正の内容】
【０１７８】
請求項１によれば、光情報記録媒体が保護層などの透明基板を挟んで２つあるいはそれ以上の記録層を有する場合、各記録面における透明基板の厚さの違いによって生ずる球面収差の変動を補正するので、各記録面への集光スポットの集光状態を常に良好に保つことができ、情報記録媒体の片側の面に２倍あるいはそれ以上の容量の情報を記録および／または再生可能な集光光学系を得ることができる。
【手続補正１０３】
【補正対象書類名】明細書
【補正対象項目名】０１７９
【補正方法】変更
【補正の内容】
【０１７９】
請求項１の条件式（２）は請求項２のように式（７）を満たすことが好ましい。
【手続補正１０４】
【補正対象書類名】明細書
【補正対象項目名】０１８０
【補正方法】変更
【補正の内容】
【０１８０】
請求項３の条件式（３）を満足するように回折構造を形成すると、色収差の補正を適切にすることができる。条件式（３）の上限を超えないようにすると色収差が過剰に補正され過ぎることがなく、下限を超えないようにすると補正不足とならない。
【手続補正１０５】
【補正対象書類名】明細書
【補正対象項目名】０１８１
【補正方法】変更
【補正の内容】
【０１８１】
請求項４は、より高密度な次世代の光情報記録媒体の記録および／または再生用の光ピックアップ装置の好ましい構成に関する。従来の技術で述べたように対物レンズの高開口数化および光源の短波長化が図られてくると、光情報記録媒体の透明基板厚さの微少な変化に起因する球面収差の変化量は無視できないほど大きくなるので、適切な情報の記録および／または再生ができなくなってしまうが、この問題は前記カップリングレンズを光軸に沿って可動とすることで解決される。すなわち、集光光学系の球面収差がオーバー或いはアンダー側に変動した場合、カップリングレンズを光軸方向に適切な量だけ変移させることで、対物レンズに入射する光束の発散角を変える。これにより対物レンズを透過する波面に対し、集光光学系全休で発生する球面収差と逆の極性の球面収差を発生させることが出来る。その結果、焦点を結んだときの波面は球面収差がキャンセルされた状態になり、集光光学系全休として、良好に球面収差を補正することが出来る。さらに、対物レンズの高開口数化および光源の短波長化が図られてくると、対物レンズで発生する軸上色収差の補正が重要となる。
【手続補正１０６】
【補正対象書類名】明細書
【補正対象項目名】０１８２
【補正方法】変更
【補正の内容】
【０１８２】
請求項４の条件式（３）を満足するように回折構造を形成すると、色収差の補正を適切にすることができる。条件式（３）の上限を超えないようにすると色収差が過剰に補正され過ぎることがなく、下限を超えないようにすると補正不足とならない。
【手続補正１０７】
【補正対象書類名】明細書
【補正対象項目名】０１８３
【補正方法】変更
【補正の内容】
【０１８３】
請求項４の条件式（３）は請求項５の式（１０）を満たすことが好ましく、請求項６の式（１１）を満たすことが更に好ましい。
【手続補正１０８】
【補正対象書類名】明細書
【補正対象項目名】０１８４
【補正方法】変更
【補正の内容】
【０１８４】
請求項７のように対物レンズが光学プラスチック材料からなることで、軽量で大量生産可能で安価になり、光情報記録媒体の記録・再生用単玉対物レンズを得ることができる。対物レンズは光学プラスチック材料からなるので、回折構造を容易に設けることができ、また軽量であるので、光ピックアップ装置でフォーカシング機構への負担を軽減することが出来る。光学プラスチック材料としては、アッべ数が大きく、波長５００ｎｍ以下での透過率が大きく、複屈折が小さく、吸水率が小さいことが好ましいので、請求項８のようにポリオレフィン系樹脂が望ましい。特にポリオレフィン系のノルボルネン系樹脂が望ましい。
【手続補正１０９】
【補正対象書類名】明細書
【補正対象項目名】０１８５
【補正方法】変更
【補正の内容】
【０１８５】
請求項９の式（４）のように、使用波長λを５００ｎｍ以下とすることで情報記録面上に集光するスポットを小さくできるので、ＣＤ（７８０ｎｍ）やＤＶＤ（６５０ｎｍ）のごとき従来の光情報記録媒体に比べより高密度に情報の記録および／または高密度記録された情報の読み取りが可能となる。
【手続補正１１０】
【補正対象書類名】明細書
【補正対象項目名】０１８６
【補正方法】変更
【補正の内容】
【０１８６】
請求項１０における、０．３５＜（Ｘ１−Ｘ２）・（Ｎ−１）／（ＮＡ・ｆ）＜０．５５の式は、像側開口数が０．７０以上であって少なくとも１つの面が非球面となされた単玉の対物レンズであって、少なくとも１つの面上に回折構造が形成された対物レンズにおいて、正弦条件が良好に満足され、かつ各面間の光軸ずれによる高次のコマ収差が良好に補正された対物レンズとするための、各面のサグ量（Ｘ１及びＸ２）に関する条件である。像側開口数が０．７０以上の対物レンズでは、（Ｘ１−Ｘ２）・（Ｎ−１）／（ＮＡ・ｆ）の値が上記の範囲内にあれば、光束が入射した場合に発生する高次コマ収差が大きくなりすぎず、各面間の光軸ずれによる高次のコマ収差が大きくなりすぎない。また、光源から射出される光の波長が微少量変化した場合の球面収差の変化量が大きくなりすぎない。さらに、下限以上でマージナル光線の球面収差が補正過剰になり過ぎず、上限以下でマージナル光線の球面収差が補正不足になり過ぎない。上述の作用を達成するには、請求項１１のように、０．３９＜（Ｘ１−Ｘ２）・（Ｎ−１）／（ＮＡ・ｆ）＜０．５２を満たすのがより好ましい。
【手続補正１１１】
【補正対象書類名】明細書
【補正対象項目名】０１８７
【補正方法】変更
【補正の内容】
【０１８７】
請求項１２は対物レンズの軸上色収差の発生量に関し、対物レンズの軸上色収差が条件式（１２）を満足していれば、使用波長を５００ｎｍ以下の短波長とし、高開口数化した場合でも、光源のモードホップ現象による瞬時的な発振波長の変動が起きたときの焦点位置の変化を小さく抑えることが出来る。
【手続補正１１２】
【補正対象書類名】明細書
【補正対象項目名】０１８８
【補正方法】変更
【補正の内容】
【０１８８】
請求項１３は光源の波長が変化したときの球面収差の補正に関し、光ピックアップ装置において光源として用いられる半導体レーザは個体間で±１０ｎｍほどの微少な発振波長のばらつきがある。そのため基準波長から波長が変化したときに対物レンズで発生する球面収差が大きく変化してしまうと、発振波長が基準波長からずれた半導体レーザは使用できなくなるが、この問題は、対物レンズに設けた回折構造が条件式（１３）を満足すれば解決できる。この条件式（１３）を満たしていれば、波長変化による球面収差の変化を回折の作用により良好に打ち消すことができ、下限以上で基準波長から波長が変化したときの球面収差が補正過剰になりすぎず、上限以下で基準波長から波長が変化したときの球面収差が補正不足になり過ぎないので、使用波長を５００ｎｍ以下の短波長とし、高開口数化した場合でも、発振波長が基準波長から微少にずれた半導体レーザを使用することが可能となる。
【手続補正１１３】
【補正対象書類名】明細書
【補正対象項目名】０１８９
【補正方法】変更
【補正の内容】
【０１８９】
請求項１４は回折構造の輪帯間隔すなわち光軸に垂直な方向の輪帯間の問隔に関し、光路差関数が２次の光路差関数係数（回折面係数ともいう）しか有しないならば、（Ｐｈ／Ｐｆ）−２＝０となるが、本発明では基準波長からの微少な波長変化によって生じる球面収差の変化を回折の作用により良好に補正するために、光路差関数の高次の光路差関数係数を用いることが好ましいが、このとき、（Ｐｈ／Ｐｎ−２）が０からある程度離れた値をとることが好ましく、この条件式（１４）を満たしていれば、波長変化による球面収差の変化を回折の作用により良好に打ち消すことができる。下限以上で基準波長から波長が変化したときの球面収差が補正過剰になりすぎず、上限以下で基準波長から波長が変化したときの球面収差が補正不足になり過ぎない。
【手続補正１１４】
【補正対象書類名】明細書
【補正対象項目名】０１９０
【補正方法】変更
【補正の内容】
【０１９０】
請求項１５は光源の波長が変化したときの球面収差の発生量に関し、正の屈折パワーを有する屈折レンズでは波長が基準波長から長波長側に変化した場合、補正過剰の球面収差が発生するが、波長が基準波長から長波長側に変化したときに対物レンズの球面収差が補正不足の方向に変化するような球面収差特性を有する回折構造を設けることで、屈折レンズで発生する補正過剰の球面収差を良好に補正することができる。このとき、波長が＋１０ｎｍ変化した際のマ―ジナル光線の球面収差の変化量（│△ＳＡ│）が条件式（１５）を満たすことが好ましい。この条件を満たしていれば、波長が基準波長から＋１０ｎｍ変化したときの球面収差が補正過剰あるいは補正不足になり過ぎない。ここで、マージナル光線の球面収差の変化量△ＳＡは、基準波長λ０における球面収差カーブをその下端がλ０＋１０ｎｍにおける球面収差カーブの下端に重なる位置まで平行移動させた際の球面収差カーブの上端と、λ０＋１０ｎｍにおける球面収差カーブの上端との幅により表される。
【手続補正１１５】
【補正対象書類名】明細書
【補正対象項目名】０１９１
【補正方法】変更
【補正の内容】
【０１９１】
一般的な光学材料では、短波長になるほど微少な波長変化に対する屈折率の変化は大きくなるため、波長４００ｎｍ程度の光を発生する光源を使用する光ピックアップ装置用の対物レンズに、輪帯状の回折構造を形成し、軸上色収差を補正する場合、回折構造には大きな回折パワーが必要であり、隣り合う回折輪帯の間隔が小さくなりがちである。回折輪帯の間隔が小さいと、製造誤差による回折効率低下への影響が大きくなるので、実用上好ましくない。そこで、請求項１６にあるように、回折レンズとしての回折作用と屈折レンズとしての屈折作用とを合わせた場合に、光源の波長が長波長側に変動した際のバックフォーカスが、波長が変動する前のバックフォーカスに比して短くなる方向に変化するような軸上色収差特性を有し、
−１＜ΔＣＡ／ΔＳＡ＜０
を満たすようにすると、波長４００ｎｍ程度の光を発生する光源を使用する光ピックアップ装置用の対物レンズであっても、回折輪帯の間隔が大きく確保され、それでいて光源がモードホッピングした場合の波面収差のデフォーカス成分が小さい対物レンズとすることができる。上式は、回折作用により、対物レンズの軸上色収差を補正過剰として基準波長の球面収差カーブと長・短波長側の球面収差カーブ（色の球面収差ともいう）を交差させることを意味する。これにより、光源の波長が変動した際のベストフォーカス位置の移動が小さく抑えられるので、光源がモードホッピングした場合の波面収差のデフォーカス成分を小さくすることができる。また、上記のように色収差を補正すると、軸上色収差と色の球面収差をともに補正することで光源がモードホッピングした場合の波面収差のデフォーカス成分を小さくする場合よりも、回折輪帯の間隔を大きくすることができるので、輪帯形状の製造誤差による回折効率の低化の防止を達成できる。
【手続補正１１６】
【補正対象書類名】明細書
【補正対象項目名】０１９２
【補正方法】変更
【補正の内容】
【０１９２】
請求項１８は光情報記録媒体に対する情報の記録・再生を、回折構造で発生する２次以上の高次回折光を使用して行う対物レンズに関し、ｎ次の回折光を使用する場合、±１次の回折光を使用する場合に比べ回折構造の輪帯間隔を約ｎ倍、輪帯数を約１／ｎ倍とすることが出来るので、回折構造を付加するための金型を製造しやすく、その加工時間を短縮することができ、加工・製造誤差による回折効率の低下を防ぐことが出来る。
【手続補正１１７】
【補正対象書類名】明細書
【補正対象項目名】０１９３
【補正方法】変更
【補正の内容】
【０１９３】
請求項１９にあるように、対物レンズに形成された回折構造のうち、少なくとも１つの面上に形成された回折構造の輪帯構造の光軸方向の段差量を、ｎを０、±１以外の整数として、ｎ次の高次回折光が最大の回折光量を有するように決定すると（以下、このように輪帯構造が決定された回折構造が形成された面を、高次回折面と呼ぶ）、±１次回折光を利用する場合に比して、回折輪帯間隔の最小値を緩和できるので、輪帯構造の形状誤差による回折効率低下の影響を小さくできる。このとき、対物レンズに形成された回折面のうちすべての回折面を高次回折面としてもよいし、±１次回折光を利用する場合の回折輪帯間隔の最小値が特に小さくなる回折面のみを高次回折面としてもよい。また、回折光量が最大となる回折次数の値が回折面毎に異なるようにしてもよい。
【手続補正１１８】
【補正対象書類名】明細書
【補正対象項目名】０１９４
【補正方法】変更
【補正の内容】
【０１９４】
請求項２０のように材料を選ぶと、対物レンズが空気中の水分を吸収する過程においてレンズ内に吸水率の差によって屈折率分布が生じにくく、それによる収差を小さくすることができる。特にＮＡが大きいと、収差の発生は大きくなる傾向があるが、上記のようにすると十分小さくすることができる。
【手続補正１１９】
【補正対象書類名】明細書
【補正対象項目名】０１９５
【補正方法】変更
【補正の内容】
【０１９５】
請求項２１のように使用波長範囲で材料の３ｍｍ厚に対する内部透過率が８５％以上のものを材料とすると、使用波長を５００ｎｍ以下の短波長としても記録光の強度が十分得られ、また読み出し時に対物レンズを往復で通過してもセンサヘ入射する光量が十分得ることができ、読み出し信号のＳ／Ｎ比を良くすることができる。また、使用波長が５００ｎｍ以下、特に４００ｎｍ程度になると吸収によるレンズ材料の劣化が無視できなくなるが、上記条件を満たした材料を用いた対物レンズとすれば劣化の影響は僅かとなり、半永久的に使用が可能となる。
【手続補正１２０】
【補正対象書類名】明細書
【補正対象項目名】０１９６
【補正方法】変更
【補正の内容】
【０１９６】
請求項２２は、対物レンズの中心厚さが設計値に対して誤差を持った際、対物レンズで発生する球面収差の３次成分と５次以上の高次成分とのバランスに関し、高ＮＡの対物レンズでは、中心厚さの僅かな誤差に対しても、発生する球面収差の量は大きくなりがちであるので、許容される中心厚さ誤差は数μｍと非常に小さい。しかし、モールドレンズの場合、安定して数μｍ以下の中心厚さ誤差を得ることは難しい。一方、本発明による集光光学系ではカップリングレンズを光軸方向に沿って動かして対物レンズに入射する光束の発散角を変えることにより、集光光学系で発生する球面収差のうち３次の球面収差成分を補正することができる．したがって、対物レンズの球面収差が条件式（１８）を満たしていれば、たとえ対物レンズの中心厚さが設計値に対して微少な誤差をもっていてもカップリングレンズを光軸方向に沿って適切な量だけ動かせば３次の球面収差成分を除去することができるので、集光光学系全系の残存球面収差量を小さく抑えることが出来る。
【手続補正１２１】
【補正対象書類名】明細書
【補正対象項目名】０１９７
【補正方法】変更
【補正の内容】
【０１９７】
請求項２３によれば、５００ｎｍ以下の短波長を発振波長にもつ光源を用いた場合に問題となる、対物レンズで発生する軸上色収差を補正することが可能である。
【手続補正１２２】
【補正対象書類名】明細書
【補正対象項目名】０１９８
【補正方法】変更
【補正の内容】
【０１９８】
請求項２５はカップリングレンズの構成に関し、相対的にアッべ数の大きい正レンズと相対的にアッべ数の小さい負レンズとを接合した１群２枚構成とすることにより、簡易な構成で対物レンズで発生する軸上色収差を補正することが出来る。
【手続補正１２３】
【補正対象書類名】明細書
【補正対象項目名】０１９９
【補正方法】変更
【補正の内容】
【０１９９】
請求項２６によれば、単玉という簡易な構成で対物レンズで発生する軸上色収差を良好に補正することができる。
【手続補正１２４】
【補正対象書類名】明細書
【補正対象項目名】０２００
【補正方法】変更
【補正の内容】
【０２００】
請求項２７は、光源の半導体レーザの発振波長が変動した場合に、光ピックアップ装置の集光光学系で生じた球面収差の補正に関し、発振波長が基準波長から変動した場合、集光光学系ではオーバー或いはアンダーな球面収差が発生するが、カップリングレンズを光軸方向に適切な量だけ変移させることで、対物レンズに入射する光束の発散角を変える。これにより、集光光学系で生じた球面収差の変動をキャンセルすることが出来る。
【手続補正１２５】
【補正対象書類名】明細書
【補正対象項目名】０２０１
【補正方法】変更
【補正の内容】
【０２０１】
請求項２８は、温度が変化した場合に、光ピックアップ装置の集光光学系で生じた球面収差の補正に関し、温度変化に起因して集光光学系でオーバー或いはアンダーな球面収差が発生した場合、カップリングレンズを光軸方向に適切な量だけ変移させることで、対物レンズに入射する光束の発散角を変える。これにより、集光光学系で生じた球面収差の変動をキャンセルすることが出来る。
【手続補正１２６】
【補正対象書類名】明細書
【補正対象項目名】０２０２
【補正方法】変更
【補正の内容】
【０２０２】
請求項２９は、光情報記録媒体の保護層（透明基板）の厚み誤差に起因して、集光光学系で発生する球面収差の補正に関し、保護層が厚くなる方向に誤差を持つ場合、集光光学系ではオーバーな球面収差が、薄くなる方向に誤差を持つ場合、アンダーな球面収差が発生する。このとき、カップリングレンズを光軸方向に適切な量だけ変移させることで、対物レンズに入射する光束の発散角を変える。これにより、集光光学系で生じた球面収差の変動をキャンセルすることが出来る。
【手続補正１２７】
【補正対象書類名】明細書
【補正対象項目名】０２０３
【補正方法】変更
【補正の内容】
【０２０３】
請求項３０によれば、対物レンズとの間隔を増加させるようにカップリングレンズを光軸方向に沿って変移させれば、対物レンズには変移させる前に比べて発散光が入射するので、対物レンズではアンダーな球面収差を発生させることが出来る。従って、上述の原因に起因して、集光光学系でオーバーな球面収差が発生した場合、適切な量だけカップリングレンズを変移させ対物レンズとの間隔を増加させれば、発生したオーバーな球面収差をちょうどキャンセルすることが出来る。逆に、対物レンズとの間隔を減少させるようにカップリングレンズを光軸方向に沿って変移させれば、対物レンズには変移させる前に比べて収束光が入射するので、対物レンズではオーバーな球面収差を発生させることが出来る。従って、上述の原因に起因して、集光光学系でアンダーな球面収差が発生した場合、適切な量だけカップリングレンズを変移させ対物レンズとの間隔を減少させれば、発生したアンダーな球面収差をちょうどキャンセルすることが出来る。
【手続補正１２８】
【補正対象書類名】明細書
【補正対象項目名】０２０４
【補正方法】変更
【補正の内容】
【０２０４】
請求項３１によれば、音声、画像の記録装置・再生装置が上述の光ピックアップ装置を有することにより、良好な記録・再生を行うことができる。
【手続補正１２９】
【補正対象書類名】明細書
【補正対象項目名】０２０８
【補正方法】削除
【補正の内容】
【手続補正１３０】
【補正対象書類名】明細書
【補正対象項目名】０２０９
【補正方法】削除
【補正の内容】
【手続補正１３１】
【補正対象書類名】明細書
【補正対象項目名】０２１０
【補正方法】削除
【補正の内容】
【手続補正１３２】
【補正対象書類名】明細書
【補正対象項目名】０２１１
【補正方法】削除
【補正の内容】
【手続補正１３３】
【補正対象書類名】明細書
【補正対象項目名】０２１２
【補正方法】削除
【補正の内容】
【手続補正１３４】
【補正対象書類名】明細書
【補正対象項目名】０２１３
【補正方法】削除
【補正の内容】
【手続補正１３５】
【補正対象書類名】明細書
【補正対象項目名】０２１４
【補正方法】削除
【補正の内容】
【手続補正１３６】
【補正対象書類名】明細書
【補正対象項目名】０２１５
【補正方法】削除
【補正の内容】
【手続補正１３７】
【補正対象書類名】明細書
【補正対象項目名】０２１６
【補正方法】削除
【補正の内容】
【手続補正１３８】
【補正対象書類名】明細書
【補正対象項目名】０２１７
【補正方法】削除
【補正の内容】
【手続補正１３９】
【補正対象書類名】明細書
【補正対象項目名】０２１８
【補正方法】削除
【補正の内容】
【手続補正１４０】
【補正対象書類名】明細書
【補正対象項目名】０２１９
【補正方法】削除
【補正の内容】
【手続補正１４１】
【補正対象書類名】明細書
【補正対象項目名】０２２０
【補正方法】削除
【補正の内容】
【手続補正１４２】
【補正対象書類名】明細書
【補正対象項目名】０２２１
【補正方法】削除
【補正の内容】
【手続補正１４３】
【補正対象書類名】明細書
【補正対象項目名】０２２２
【補正方法】削除
【補正の内容】
【手続補正１４４】
【補正対象書類名】明細書
【補正対象項目名】０２２３
【補正方法】削除
【補正の内容】
【手続補正１４５】
【補正対象書類名】明細書
【補正対象項目名】０２２４
【補正方法】削除
【補正の内容】
【手続補正１４６】
【補正対象書類名】明細書
【補正対象項目名】０２２５
【補正方法】削除
【補正の内容】
【手続補正１４７】
【補正対象書類名】明細書
【補正対象項目名】０２２６
【補正方法】削除
【補正の内容】
【手続補正１４８】
【補正対象書類名】明細書
【補正対象項目名】０２２７
【補正方法】削除
【補正の内容】
【手続補正１４９】
【補正対象書類名】明細書
【補正対象項目名】０２２８
【補正方法】削除
【補正の内容】
【手続補正１５０】
【補正対象書類名】明細書
【補正対象項目名】０２２９
【補正方法】削除
【補正の内容】
【手続補正１５１】
【補正対象書類名】明細書
【補正対象項目名】０２３０
【補正方法】削除
【補正の内容】
【手続補正１５２】
【補正対象書類名】明細書
【補正対象項目名】０２３１
【補正方法】削除
【補正の内容】
【手続補正１５３】
【補正対象書類名】明細書
【補正対象項目名】０２３２
【補正方法】削除
【補正の内容】
【手続補正１５４】
【補正対象書類名】明細書
【補正対象項目名】０２３３
【補正方法】削除
【補正の内容】
【手続補正１５５】
【補正対象書類名】明細書
【補正対象項目名】０２３４
【補正方法】削除
【補正の内容】
【手続補正１５６】
【補正対象書類名】明細書
【補正対象項目名】０２３５
【補正方法】削除
【補正の内容】
【手続補正１５７】
【補正対象書類名】明細書
【補正対象項目名】０２３６
【補正方法】削除
【補正の内容】
【手続補正１５８】
【補正対象書類名】明細書
【補正対象項目名】０２３７
【補正方法】削除
【補正の内容】
【手続補正１５９】
【補正対象書類名】明細書
【補正対象項目名】０２３８
【補正方法】削除
【補正の内容】
【手続補正１６０】
【補正対象書類名】明細書
【補正対象項目名】０２３９
【補正方法】削除
【補正の内容】
【手続補正１６１】
【補正対象書類名】明細書
【補正対象項目名】０２４０
【補正方法】削除
【補正の内容】
【手続補正１６２】
【補正対象書類名】明細書
【補正対象項目名】０２４１
【補正方法】削除
【補正の内容】
【手続補正１６３】
【補正対象書類名】明細書
【補正対象項目名】０２４２
【補正方法】削除
【補正の内容】
【手続補正１６４】
【補正対象書類名】明細書
【補正対象項目名】０２４３
【補正方法】削除
【補正の内容】
【手続補正１６５】
【補正対象書類名】明細書
【補正対象項目名】０２４４
【補正方法】削除
【補正の内容】
【手続補正１６６】
【補正対象書類名】明細書
【補正対象項目名】０２４５
【補正方法】削除
【補正の内容】
【手続補正１６７】
【補正対象書類名】明細書
【補正対象項目名】０２４６
【補正方法】削除
【補正の内容】
【手続補正１６８】
【補正対象書類名】明細書
【補正対象項目名】０２４７
【補正方法】削除
【補正の内容】
【手続補正１６９】
【補正対象書類名】明細書
【補正対象項目名】０２４８
【補正方法】削除
【補正の内容】
【手続補正１７０】
【補正対象書類名】明細書
【補正対象項目名】０２４９
【補正方法】削除
【補正の内容】
【手続補正１７１】
【補正対象書類名】明細書
【補正対象項目名】０２５０
【補正方法】削除
【補正の内容】
【手続補正１７２】
【補正対象書類名】明細書
【補正対象項目名】０２５１
【補正方法】削除
【補正の内容】
【手続補正１７３】
【補正対象書類名】明細書
【補正対象項目名】０２５２
【補正方法】削除
【補正の内容】
【手続補正１７４】
【補正対象書類名】明細書
【補正対象項目名】０２５３
【補正方法】削除
【補正の内容】